(57)【特許請求の範囲】
【請求項１】
可撓性袋体を用いて粉体や液体の物体を水上輸送する水上輸送方法であって、
前記可撓性袋体の内部を少なくとも２つの区画に仕切り、
前記区画に収容する物体を選択することによって、前記物体が収容された状態の前記可撓性袋体全体の比重を水より小さくした状態で輸送し、
前記区画の一方に冷却すべき物体を収容し、
前記区画の他方に冷却された液体を収容する、水上輸送方法。
【請求項２】
前記可撓性袋体は動力船により曳航され、
前記冷却された液体は前記動力船との間で循環されて冷却状態が保持される、請求項１記載の水上輸送方法。
【発明の詳細な説明】
【０００１】
【発明の属する技術分野】
この発明は水上輸送方法に関し、特に、粉体、液体等の物体を水路や海上等を経由して輸送する水上輸送方法に関するものである。
【０００２】
【従来の技術】
図１２は特開平６−１３５３７６号公報に開示されている従来の粉体、液体等の物体を輸送するバージの概略構造を示した斜視図であり、図１３は図１２で示したバージの輸送状態を示した斜視図である。
【０００３】
これらの図を参照して、バージ７０は、水面に浮かばせるための浮力を付ける目的の中空部分を有するゴム、プラスチック等の形状保持性のある浮体７１の下側に、ゴム、プラスチック等で制作した伸縮、かつ屈曲自在なタンク７２を結合して構成されている。
【０００４】
バージ７０の平均比重は水より小さく、積み荷の状態如何に関わらず水没しないものとされている。そして、このバージ７０を動力船２４で引っ張りながら移動することで輸送を行なう。タンク７２の保護のため、その周囲には網状の保護枠材７３が下方へ伸びている。タンク７２の側壁７５と保護枠材７３とは、側壁に取付けられている環状体７６を介して上下方向に自由な係合をしており、これにより側壁７５の水平方向の移動を制限している。したがって、タンク７２の注水・排水や航行時の不規則な変形が防止される。
【０００５】
又、タンク７２の側壁７５には、上下方向に伸縮屈曲が容易に行われるように、水平方向に折り目７７が形成されている。このため、タンク７２に収容された輸送物を取り出した際には、この折り目７７によりタンク７２は蛇腹のように収縮し浮体７１に接近してタンク７２が収納される。したがって、空荷の航行時の抵抗が減少し、航行速度を上昇しつつ、燃費を減少することができる。更に、乾げんが低いため、横風や波浪の影響を受けにくく、安全航行ができると共に係留装置の小型化も可能となる。
【０００６】
【発明が解決しようとする課題】
上記のような従来のバージでは、タンクに収容すべき物体が水より十分軽いような場合でも常に浮体を取り付けていることになり、バージ全体としては無駄な構成となっている。このような場合、バージの製造コストは上昇するのみならず、不要な浮体も輸送することにもなり輸送コストも上昇する。
【０００７】
又、浮体自体は物体の収容機能はないためバージ全体でみれば無駄なスペースが存在することにもなる。
【０００８】
この発明は上記のような課題を解決するためになされたもので、収容すべき物体の比重に関わらず、浮体を別途設けることなく効率的な輸送を可能とする水上輸送方法を提供することを目的とする。
【００１３】
【課題を解決するための手段】
上記の目的を達成するために、請求項１記載の発明は、可撓性袋体を用いて粉体や液体の物体を水上輸送する水上輸送方法であって、可撓性袋体の内部を少なくとも２つの区画に仕切り、区画に収容する物体を選択することによって、物体が収容された状態の袋体全体の比重を水より小さくした状態で輸送し、区画の一方に冷却すべき物体を収容し、区画の他方に冷却された液体を収容するものである。
【００１４】
このように構成すると、物体の選択で可撓性袋体全体が水に対して浮遊状態となる。又、区画の一方に収容された物体は区画の他方に収容された物体によって冷却される。
【００１５】
請求項２記載の発明は、請求項１記載の発明の構成において、可撓性袋体は動力船により曳航され、冷却された液体は動力船との間で循環されて冷却状態が保持されるものである。
【００１６】
このように構成すると、動力船において冷却された液体の温度状態が調整される。
【００２７】
【発明の効果】
以上説明したように、請求項１記載の発明は、物体の選択で可撓性袋体全体が浮遊状態となるので、水より比重の大きな物体を輸送する場合であっても浮体を別途設ける必要がないため効率的な輸送方法となる。又、区画の一方に収容された物体は区画の他方に収容された物体によって冷却されるので、冷却すべき物体を安定した状態で輸送することができる。
【００２８】
請求項２記載の発明は、請求項１記載の発明の効果に加えて、動力船において冷却される液体の温度が調整されるため、輸送経路の水温等の状態に応じた適切な冷却が可能となり、輸送の信頼性が向上する。
【００３３】
【発明の実施の形態】
図１はこの発明の第１の実施の形態による可撓性袋体の概略構造を示した断面図である。
【００３４】
図を参照して、可撓性袋体１５は、可撓性を有する袋状の包囲体１６と、その包囲体１６内部を第１区画２０と第２区画２１との２つの区画に仕切る可撓性を有する仕切体１７とから主に構成されている。包囲体１６はゴムや合成樹脂などのシート状体や、合成繊維からなる布状体の片面又は両面にゴムや合成樹脂などを被覆したラミネート材や、これらのシート状体やラミネート材を複数積層した積層体等から構成されている。
【００３５】
一方、仕切体１７は包囲体１６と同材料より選択されており、包囲体１６との組合せとしては同質又は異質の材料によって構成されている。尚、包囲体１６及び仕切体１７は言うまでもないが、上記のような材料によって気密性及び水密性が確保されている。又、仕切体１７によって区画された第１区画２０及び第２区画２１の各々に対して図示しない投入口や排出口が形成されており、これらを介してそれらの区画の各々に気体、液体、粉体、粉粒体、流動体等の物体が内部に充填され、又外部に排出される。
【００３６】
尚、この実施の形態においては仕切体１７は可撓性のみならず伸縮性を有する材料より構成されている。又、仕切体１７は可撓性袋体１５が海面に浮上した状態でほぼ水平方向になるように配置されている。これは可撓性袋体１５を輸送する際に、その輸送方向と平行に可撓性袋体１５の回転軸が位置するようにして輸送時の安定を図るためである。
【００３７】
このように可撓性袋体１５は包囲体１６及び仕切体１７によって構成されているため、第１区画２０および第２区画２１に物体を収容していない場合には全体を扁平形状に折り畳むことが可能である。
【００３８】
図２は図１で示した可撓性袋体１５の使用状態の一例を示した概略図である。
【００３９】
図を参照して、この例においては可撓性袋体１５の第１区画２０にアルコール２９が充填されており、第２区画２１には水２８が充填されている。そのため、可撓性袋体１５は包囲体１６及び仕切体１７の重量を加えても海水より全体の比重が軽くなり、包囲体１６の上部の一部が海面２５より浮上する。そして可撓性袋体１５と動力船２４とをロープ２６によって繋止し、可撓性袋体１５は動力船２４によって浮遊した状態で曳航される。
【００４０】
尚、図においては第１区画２０に充填するアルコール２９と第２区画２１に充填する水２８とをほぼ同一容積としている。しかしこれらはいずれも海水より比重が軽い液体であるため、水２８をアルコール２９に比べてより多く充填してもよい。この場合、仕切体１７は可撓性を有しかつ伸縮性を有するため、図であれば包囲体１６の上方に屈曲した状態で水２８及びアルコール２９が収容されることになる。
【００４１】
図３は図１で示した可撓性袋体１５の使用状態の他の例を示した概略図である。
【００４２】
図を参照して、この例においては、第１区画２０に大量の水２８を充填し第２区画２１には特に何も収容されていない。この場合、水２８の充填と共に仕切体１７は、下方に大きく伸びて包囲体１６の下方部分に接するような状態に変形する。したがって第２区画２１の実質的な容積はほとんどなくなった状態となる。このように可撓性袋体１５において大部分に水２８が収容された状態となっても、水２８の比重は海水より小さいため海面２５からその一部が浮上した状態で曳航することができる。
【００４３】
尚、この例では第１区画２０の区画に水２８を充填しているが、図２に示した状態で往路は輸送し、輸送先においてアルコール２９を陸揚げし、第２区画２１の区画に更に水２８を充填するようにしてもよい。このようにすると、第１区画２０及び第２区画２１の各々には往路及び復路と共に同種の液体のみが充填されることになるため輸送時の品質に影響を与えることはない。
【００４４】
図４は図１で示した可撓性袋体１５の更に他の使用例を示した概略図である。
【００４５】
図を参照して、可撓性袋体１５の第２区画２１には海水より比重が大きな流体３１が収容されている。一方、第１区画２０には空気３２が所定量充填されている。このため、流体３１の収容のみだけであれば、可撓性袋体１５は海中に沈むような重量となる場合であっても、空気３２が第１区画２０に充填されているため可撓性袋体１５に大きな浮力を与えることになる。
【００４６】
したがって、この空気３２の充填量を流体３１の全体重量に応じて調整することによって、可撓性袋体１５を確実に海面２５に浮上させることが可能となる。このようにこの実施の形態による可撓性袋体１５によれば、輸送すべき物体の比重が大きな場合であっても従来例で示したような浮体を別途設ける必要はなく、第１区画２０に気体を充填することによって浮体としての作用を生じさせることが容易となる。
【００４７】
以上のようにこの実施の形態による可撓性袋体によれば、第１区画２０及び第２区画２１に収容する物体の特性に応じてその収容状態や収容量を調整することによって、常に海面２５に浮上させた状態でこれらを輸送することが可能となる。又、これらの物体の収容量に応じて可撓性袋体１５の海面２５からの浮遊程度を調整することができるため、海上における横風や波浪等の影響をより小さくするように調整することも容易となる。
【００４８】
図５はこの発明の第２の実施の形態による可撓性袋体の概略構造を示した断面図である。
【００４９】
図を参照して、可撓性袋体１５は、可撓性を有する袋状の包囲体１６と、包囲体１６内部を第１区画２０及び第２区画２１の２つの区画に仕切る可撓性を有し、かつ非伸縮性の材料よりなる仕切体３５とから構成されている。包囲体１６の材料は先の第１の実施の形態によるものと同一であるが、上記のように仕切体３５は先の実施の形態の仕切体１７とは異なり、伸縮性を有さない材料より構成されている。
【００５０】
尚、第１区画２０及び第２区画２１の各々を構成する包囲体１６の部分の各々の表面積はほぼ同一となっており、仕切体３５の面積はこれらの各々の表面積とほぼ同一の面積を有するように構成されている。すなわち、仕切体３５が第１区画２０又は第２区画２１のいずれか一方の方向に広がった場合、その区画を構成する包囲体１６の部分の内面にほぼ重なり合う状態となる。
【００５１】
このように仕切体３５は伸縮性を有さないため、どのような位置に変形してもその厚さは変わることがなく、気密性及び水密性の観点からの信頼性を向上している。
【００５２】
図６は図５で示した可撓性袋体１５の使用状態の一例を示した概略図である。
【００５３】
図を参照して、可撓性袋体１５の第２区画２１には水２８が充填されている。一方、第１区画２０にはアルコール２９が充填されている。この例においては水２８及びアルコール２９はほぼ同一容量を充填しているため、仕切体１７は図のように断面が波型に変形する。これによって仕切体１７には過大な力が加わることなく、第１区画２０と第２区画２１との仕切効果の信頼性が向上する。
【００５４】
このように水２８及びアルコール２９が充填された状態で可撓性袋体１５は海面２５から浮上し、この状態で動力船２４によって曳航される。
【００５５】
図７は図５に示した可撓性袋体１５の使用状態の他の例を示した概略図である。
【００５６】
図を参照して、第２区画２１の区画には何も充填されず第１区画２０の区画に大量の水２８が充填されている。この場合、仕切体３５は第２区画２１を構成する包囲体１６の下方側内面に接するように変形して移動する。これによって仕切体３５が伸びることなく、可撓性袋体１５の大部分を水２８の充填に用いることが可能となる。この状態で可撓性袋体１５の一部は海面２５から浮上し、第２区画２１は安定した状態で輸送されることになる。
【００５７】
図８はこの発明の第３の実施の形態による可撓性袋体の使用状態を示した概略図である。
【００５８】
図を参照して、可撓性袋体１５は先の実施の形態とは異なり、内方に位置する流体４１と流体４１の外面をほぼ全域囲う第２区画４３となるように仕切体３８が構成されている。すなわち第１区画４０は図示しない投入口や排出口を除いて全外面が仕切体３８によって構成されており、第２区画４３は第１区画４０の投入部又は排出部を除き、その内面が仕切体３８によって構成され、かつその外面が包囲体１６によって構成されている。そして、第２区画４３には図を貫通する方向に伸びる隔壁４５が形成されている。尚、包囲体１６、仕切体３８の材質は、先の第２の実施の形態によるものと基本的に同一である。
【００５９】
そして、第２区画４３には隔壁４５に対して一方側において往路配管４６が接続され、往路配管４６はフレキシブル管４７を介して動力船２４に接続されている。一方、第２区画４３の隔壁４５に対して他方側において復路配管４９が接続されており、復路配管４９はフレキシブル管５０を介して動力船２４に接続されている。
【００６０】
この実施の形態においては、第１区画４０には冷却すべき流体が収容されており、第２区画４３には第１区画４０を冷却するための冷却水４４が充填されている。冷却水４４は図において矢印に示すように第１区画４０の周りを循環するように隔壁４５は配置されている。すなわち、動力船２４内に設置された冷却装置（図示せず）から冷却された液体がフレキシブル管４７及び往路配管４６を介して第２区画４３に流し込まれる。流し込まれた冷却水４４は矢印の方に移動し、復路配管４９及びフレキシブル管５０を介して動力船２４に戻るように循環される。
【００６１】
これによって、輸送中において冷却が必要な流体４１を常時安定した冷却状態に保持した状態で可撓性袋体１５を輸送することが可能となる。この場合、冷却水４４に海水より十分に比重が軽い冷却媒体を用いると、流体４１の冷却効果のみならず可撓性袋体１５に対して必要な浮力を十分に与えることが可能となり、効率的な輸送方法となる。
【００６２】
図９はこの発明の第４の実施の形態による可撓性袋体の概略構造を示した図である。図を参照して、この実施の形態においては、包囲体１６は第１仕切体５２及び第２仕切体５３によって第１区画５５、第２区画５６及び第３区画５７の３つの区画にその内部を仕切られている。尚、包囲体１６、第１仕切体５２及び第２仕切体５３の材質は、先の第１の実施の形態によるものと基本的に同一である。
【００６３】
このように構成すると、内部に収納する物体の組合せを種々検討することができ使い勝手がよい。
【００６４】
図１０は図９で示した可撓性袋体１５の使用状態の一例を示した概略図である。
【００６５】
図を参照して、この例においては第１区画５５の区画のみ大量の水２８を収容している。このとき第１仕切体５２及び第２仕切体５３は伸縮性を有する材料より構成されているため、図のように包囲体１６の下方部分に接する方向に変形する。この状態で可撓性袋体１５は海面２５より浮上し動力船２４によって曳航されて輸送される。
【００６６】
図１１は図９で示した可撓性袋体１５の使用状態の他の例を示した概略図である。
【００６７】
図を参照して、可撓性袋体１５の第２区画５６に第１流体５９が充填され、第３区画５７には第２流体６０が充填されている。そして第１流体５９及び第２流体６０を加えた重量を考慮すると可撓性袋体１５は浮上しないため、第１区画５５に空気３２が充填されている。これによって２種類の比重の大きな流体を収容しつつ、可撓性袋体１５を海面２５から浮上させた状態で同時に輸送することができ使い勝手が向上する。
【００６８】
尚、上記の各実施の形態では、可撓性袋体は断面がほぼ楕円状となっているが、形状はこれに限らず種々の形状であっても良い。
【００６９】
又、上記の第１の実施の形態では、仕切体の位置が第１区画と第２区画とをほぼ同一容積になるように取付けられているが、必ずしもこれらの区画を同一容積とする必要はない。
【００７０】
更に、上記の実施の形態では、海上を輸送しているが、河川等の水上を輸送する場合にも同様に適用できることは言うまでもない。この場合、物体を収容した状態で可撓性袋体全体の比重が、海水ではなく水より小さくなるように輸送すれば良い。そして、水上輸送とは、海上輸送及び河川等の水上輸送をいずれも含む概念である。
【図面の簡単な説明】
【図１】この発明の第１の実施の形態による可撓性袋体の概略構造を示した断面図である。
【図２】図１で示した可撓性袋体の使用状態の一例を示した概略図である。
【図３】図１で示した可撓性袋体の使用状態の他の例を示した概略図である。
【図４】図１で示した可撓性袋体の使用状態の更に他の例を示した概略図である。
【図５】この発明の第２の実施の形態による可撓性袋体の概略構造を示した断面図である。
【図６】図５で示した可撓性袋体の使用状態の一例を示した概略図である。
【図７】図５で示した可撓性袋体の使用状態の他の例を示した概略図である。
【図８】この発明の第３の実施の形態による可撓性袋体の使用状態の一例を示した概略図である。
【図９】この発明の第４の実施の形態による可撓性袋体の概略構造を示した断面図である。
【図１０】図９で示した可撓性袋体の使用状態の一例を示した概略図である。
【図１１】図９で示した可撓性袋体の使用状態の他の例を示した概略図である。
【図１２】従来の海上輸送に用いられるバージの概略構造を示した斜視図である。
【図１３】図１２で示したバージの使用状態を示した斜視図である。
【符号の説明】
１５…可撓性袋体
１６…包囲体
１７…仕切体
２０…第１区画
２１…第２区画
２８…水
２９…アルコール
３１…流体
３２…空気
３５、３８…仕切体
４０…第１区画
４１…流体
４３…第２区画
４４…冷却水
尚、各図中同一符号は同一又は相当部分を示す。
【図１】
0004774155.tif 000002
【図２】
0004774155.tif 000003
【図３】
0004774155.tif 000004
【図４】
0004774155.tif 000005
【図５】
0004774155.tif 000006
【図６】
0004774155.tif 000007
【図７】
0004774155.tif 000008
【図８】
0004774155.tif 000009
【図９】
0004774155.tif 000010
【図１０】
0004774155.tif 000011
【図１１】
0004774155.tif 000012
【図１２】
0004774155.tif 000013
【図１３】
0004774155.tif 000014